(57)【要約】【課題】ユーザに最良のヒューマンコンピュータインタラクション体験させることができる電子装置及びヒューマンコンピュータインタラクション方法を提供すること。【解決手段】本発明に係る電子装置は、上面にキーボード及びタッチパッドが設けられている本体部と、前記本体部に回転可能に連結された表示部と、を備える。タッチパッドは、ユーザが入力したタッチジェスチャーを受信するために用いられ、タッチジェスチャーが２つ同時にタッチパッドをタッチして、しかもタッチジェスチャーがそれぞれ異なる位置(タッチポイント)をタッチ（２つのタッチジェスチャー）し、且つ２つのタッチジェスチャーのタッチポイントの接続線に対して垂直にスライドするスライドジェスチャーを含む場合、タッチパッドはスライドジェスチャーをマウスのホイール操作として再現する。【選択図】図５
2014164764.tif 000002
【特許請求の範囲】
【請求項１】
上面にはキーボード及びタッチパッドが設けられている本体部と、前記本体部に回転可能に連結された表示部と、を備える電子装置であって、
前記タッチパッドは、ユーザが入力したタッチジェスチャーを受信するために用いられ、
前記タッチジェスチャーが同時に前記タッチパッドをタッチし且つそれぞれ異なる位置(タッチポイント)をタッチする２つの押圧ジェスチャーを含み、且つ前記タッチジェスチャーが前記２つの押圧ジェスチャーのタッチポイントの接続線に対して垂直にスライドするスライドジェスチャーを含む場合、前記タッチパッドは前記スライドジェスチャーをマウスのホイール操作として再現することを特徴とする電子装置。
【請求項２】
前記タッチパッドは、前記２つのタッチジェスチャーの中の１つのタッチジェスチャーを前記マウスの左キー操作として再現し、もう１つのタッチジェスチャーをマウスの右キー操作として再現することを特徴とする請求項１に記載の電子装置。
【請求項３】
前記タッチパッドは、前記２つのタッチジェスチャーのタッチポイント間の距離が予定値より長いかどうかをさらに判断することを特徴とする請求項１に記載の電子装置。
【請求項４】
前記表示部は、ユーザインタフェースを提供し、且つ前記ユーザインタフェースからユーザが入力した前記予定値を受信することを特徴とする請求項３に記載の電子装置。
【請求項５】
前記タッチパッドは、ユーザの両手操作に適した幅を有することを特徴とする請求項１に記載の電子装置。
【請求項６】
上面にはキーボード及びタッチパッドが設けられている本体部と、前記本体部に回転可能に連結された表示部と、を備える電子装置に応用されるヒューマンコンピュータインタラクション方法であって、
前記タッチパッドはユーザが入力したタッチジェスチャーを受信するタッチ感知ステップと、
前記タッチジェスチャーが同時に前記タッチパッドをタッチし、且つそれぞれ異なる位置（タッチポイント）をタッチしている２つの押圧ジェスチャーを含むかどうかを判断する第一判断ステップと、
前記タッチジェスチャーが同時にタッチパッドをタッチし且つそれぞれ異なる位置（タッチポイント）をタッチしている２つの押圧ジェスチャーを含む場合、前記タッチジェスチャーが、前記２つの押圧ジェスチャーのタッチポイントの接続線に対してほぼ垂直にスライドするスライドジェスチャーをさらに含んでいるかどうかを判断する第二判断ステップと、
前記タッチジェスチャーが前記２つの押圧ジェスチャーの前記タッチポイントの接続線に対して垂直にスライドする前記スライドジェスチャーを含む場合、前記スライドジェスチャーをマウスのホイール操作として再現するマウスホイール再現ステップと、
を備えることを特徴とするヒューマンコンピュータインタラクション方法。
【請求項７】
前記２つのタッチジェスチャーの中の１つのタッチジェスチャーを前記マウスの左キー操作として再現し、もう１つのタッチジェスチャーをマウスの右キー操作として再現するためのマウス左右キー再現ステップをさらに備えることを特徴とする請求項６に記載のヒューマンコンピュータインタラクション方法。
【請求項８】
前記第一判断ステップは、前記２つのタッチジェスチャーのタッチポイント間の距離が予定値より長いかどうかを判断するステップをさらに含むことを特徴とする請求項６に記載のヒューマンコンピュータインタラクション方法。
【発明の詳細な説明】
【技術分野】
【０００１】
本発明は、ヒューマンコンピュータインタラクション技術に関し、特にタッチパッドを備えた電子装置及びヒューマンコンピュータインタラクション方法に関するものである。
【背景技術】
【０００２】
タッチパッド（ｔｏｕｃｈｐａｄ）は、入力設備として、一般的なマウスに替わって、ノート型パソコンに用いられている。例えば、タッチパッドを利用して、ノート型パソコンの表示スクリーンにおけるカーソルの移動をコントロールしたり、対応するクリック操作を実行したり、より複雑な手書き入力を実現したりすることができる。しかし、従来のタッチパッドはマウスホイールのような機能を備えていないので、ユーザはマウスホイール機能を使用する必要がある場合は、ノートパソコンにマウスを接続せざるを得ず、非常に不便である。また、従来のタッチパッドが検知できるエリアは限られており、且つこのエリアはキーボードの下方に設けられた小さな矩形状のエリアであるので、ユーザが操作する時に大きな制限を受けるため、ヒューマンコンピータインタラクション体験は理想的ではない。従って、ノート型パソコンのタッチパッドによるヒューマンコンピュータインタラクション体験を改善することが、現在の設計者の課題である。
【発明の概要】
【発明が解決しようとする課題】
【０００３】
本発明は以上の問題点に鑑みてなされたものであり、ユーザに最良のヒューマンコンピュータインタラクション体験させることができる電子装置及びヒューマンコンピュータインタラクション方法を提供することを目的とする。
【課題を解決するための手段】
【０００４】
上記の課題を解決するために、本発明に係る電子装置は、上面にはキーボード及びタッチパッドが設けられている本体部と、前記本体部に回転可能に連結された表示部と、を備える。前記タッチパッドは、ユーザが入力したタッチジェスチャーを受信するために用いられ、前記タッチジェスチャーが同時に前記タッチパッドをタッチし且つそれぞれ異なる位置(タッチポイント)をタッチする２つの押圧ジェスチャーを含み、且つ前記タッチジェスチャーが前記２つの押圧ジェスチャーのタッチポイントの接続線に対して垂直にスライドするスライドジェスチャーを含む場合、前記タッチパッドは前記スライドジェスチャーをマウスのホイール操作として再現する。
【０００５】
また、上記の課題を解決するために、本発明に係るヒューマンコンピュータインタラクション方法は、上面にキーボード及びタッチパッドが設けられている本体部と、前記本体部に回転可能に連結された表示部と、を備える電子装置に応用される。前記ヒューマンコンピュータインタラクション方法は、前記タッチパッドはユーザが入力したタッチジェスチャーを受信するタッチ感知ステップと、前記タッチジェスチャーが同時に前記タッチパッドをタッチし、且つそれぞれ異なる位置（タッチポイント）をタッチしている２つの押圧ジェスチャーを含むかどうかを判断する第一判断ステップと、前記タッチジェスチャーが同時にタッチパッドをタッチし且つそれぞれ異なる位置（タッチポイント）をタッチしている２つの押圧ジェスチャーを含む場合、前記タッチジェスチャーが、前記２つの押圧ジェスチャーのタッチポイントの接続線に対してほぼ垂直にスライドするスライドジェスチャーをさらに含んでいるかどうかを判断する第二判断ステップと、前記タッチジェスチャーが前記２つの押圧ジェスチャーの前記タッチポイントの接続線に対して垂直にスライドする前記スライドジェスチャーを含む場合、前記スライドジェスチャーをマウスのホイール操作として再現するマウスホイール再現ステップと、を備える。
【発明の効果】
【０００６】
従来の技術と異なり、本発明のヒューマンコンピュータインタラクションシステム及びヒューマンコンピュータインタラクション方法によって、ユーザのタッチパッドでのスライドジェスチャーをマウスのホイール操作として再現することができる。これにより、ユーザはマウスを使用しなくても、マウスのホイールのような機能を獲得できる。また、ユーザは、前記ヒューマンコンピュータインタラクションシステムによって、さらに正確な操作を獲得することができる。
【図面の簡単な説明】
【０００７】
【図１】本発明の実施形態に係る電子装置の斜視図である。
【図２】図１に示した電子装置の構造を示す図である。
【図３】本発明の実施形態に係るヒューマンコンピュータインタラクションシステムに含まれる機能モジュールを示す図である。
【図４】本発明の実施形態に係るタッチジェスチャーを示す図である。
【図５】本発明の実施形態に係るヒューマンコンピュータインタラクション方法のフローチャートである。
【発明を実施するための形態】
【０００８】
図１に示すように、本発明の実施形態に係る電子装置１０は、ノート型パソコンである。しかしこれに限定されるものではなく、タッチパネルを備えたＰＤＡ等の他の電子装置であっても良い。
【０００９】
電子装置１０は、表示部２０及び本体部３０を備える。表示部２０は、本体部３０に回転可能に連結されるため、本体部３０に対して開く及び閉じるというこの２つの動作を行うことができる。また、表示部２０はディスプレイを備え、且つ可視化されたユーザインタフェースを提供することに用いられる。
【００１０】
本体部３０の内部には、マザーボード、中央演算処理装置（ＣＰＵ）、ランダムアクセスメモリ（ＲＡＭ）、読み出し専用メモリ（ＲＯＭ）、拡張カード等の電子部品が収容あるいは集積されている。また、本体部３０の上面３２には、キーボード３４及びタッチパッド３６が装着されている。タッチパッド３６は、上面３２におけるユーザに近い側（図１において上面３２の前側）に設けられ、マルチタッチ機能をサポートしている。
【００１１】
タッチパッド３６の横幅は、ユーザの両手操作に適した幅を有する。現在の工業設計において定義されている両手操作に適した幅は、最小で１８ｃｍであるため、タッチパッド３６の横幅は、容易に操作できるよう１８ｃｍ以上に設計する。本実施形態において、タッチパッド３６の横幅は、キーボード３４の横幅と概ね一致している。また、変形例として、タッチパッド３６の横幅を、タッチパッド３６の長軸に沿って本体部３０の両側の縁まで延長しても良い。これにより、大面積のタッチ入力エリアを備えたタッチパッド３６は、ユーザに最良の操作体験を提供し、さらに複雑なヒューマンコンピュータインタラクションの応用をサポートすることができる。タッチパッド３６の幅は、両手操作に適しているため、ユーザは片手操作に限定されることなく、好ましい操作体験を得ることができる。また、本実施形態において、タッチパッド３６のタッチ感知エリアは、カーボンナノチューブ材料により製造される。
【００１２】
図２に示すように、電子装置１０は、中央演算処理装置１０１、メモリ１０２、表示装置１０３及びタッチパッド３６を備える。本発明のヒューマンコンピュータインタラクションシステム４０は、電子装置１０の中で実行される。
【００１３】
中央演算処理装置１０１は、データを処理し、電子装置１０のあらゆる機能モジュールを制御して管理し、且つメモリ１０２、表示装置１０３及びタッチパッド３６を備える。メモリ１０２は、データを記憶するために用いられ、ランダムアクセスメモリ（ＲＡＭ）、フラッシュディスク又はハードディスク等の記憶装置である。表示装置１０３は、可視化されたユーザインタフェースを提供し、電気抵抗式又は電気容量式のタッチパネルを備える。
【００１４】
ヒューマンコンピュータインタラクションシステム４０は、ユーザのタッチパッド３６におけるタッチジェスチャーを識別して処理する。図３に示すように、本発明のヒューマンコンピュータインタラクションシステム４０は、タッチ感知モジュール４０１と、第一判断モジュール４０２と、第二判断モジュール４０３と、マウスホイール再現モジュール４０４と、マウス左右キー再現モジュール４０５と、設定モジュール４０６と、を備える。これらのモジュールは、ある特定の機能を実現するためのプログラムコードであり、且つメモリ１０２の中に格納されて、中央演算処理装置１０１により実行される。
【００１５】
タッチ感知モジュール４０１は、タッチパッド３６を制御して、ユーザが入力したタッチジェスチャーを受信する。第一判断モジュール４０２は、タッチジェスチャーが同時にタッチパッド３６をタッチし、且つそれぞれ異なる位置（タッチポイント）をタッチする２つの押圧ジェスチャーを含むかどうかを判断する。また、第一判断モジュール４０２は、前記２つの押圧ジェスチャーのタッチポイント間の距離が予定値より長いかどうかを判断する。本実施形態において、予定値は、５ｃｍである。タッチジェスチャーのタッチポイント間の距離が予定値より長い場合、第一判断モジュール４０２は、このタッチジェスチャーは、予定条件に一致した２つの異なるタッチポイントをタッチしたタッチジェスチャーであると判断する。
【００１６】
第二判断モジュール４０３は、前記タッチジェスチャーが、同時にタッチパッド３６をタッチし且つそれぞれ異なる位置（タッチポイント）をタッチしている２つの押圧ジェスチャーを含む場合、前記タッチジェスチャーが２つの押圧ジェスチャーのタッチポイントの接続線に対してほぼ垂直にスライドするスライドジェスチャーをさらに含んでいるかどうかを判断する。
【００１７】
マウスホイール再現モジュール４０４は、前記タッチジェスチャーが、前記２つのタッチジェスチャーのタッチポイントの接続線に対して、ほぼ垂直にスライドするスライドジェスチャーを含む場合、このスライドジェスチャーをマウスのホイール操作として再現する。
【００１８】
マウス左右キー再現モジュール４０５は、前記２つのタッチジェスチャーの中の１つのジェスチャーをマウスの左キー操作として再現し、もう１つのジェスチャーをマウスの右キー操作として再現する。
【００１９】
設定モジュール４０６は、コマンドラインやパターン化されたユーザインタフェースを提供し、且つこのユーザインタフェースからユーザが入力した前記予定値を受信する。
【００２０】
図４は、本発明の実施形態に係るタッチジェスチャーを示しており、該タッチジェスチャーは、２つのタッチジェスチャーを含む。この２つのタッチジェスチャーのタッチポイントは、それぞれタッチポイントＡ及びタッチポイントＢと記される。また、前記タッチジェスチャーは、スライドジェスチャーＬをさらに備える。このスライドジェスチャーＬは、タッチポイントＡとタッチポイントＢとの接続線に対してほぼ垂直である。
【００２１】
図５に示すように、本発明の実施形態に係るヒューマンコンピュータインタラクション方法は、以下のステップを備える。
【００２２】
ステップＳ５０１において、タッチパッド３６を制御して、ユーザが入力したタッチジェスチャーを受信する。
【００２３】
ステップＳ５０２において、タッチジェスチャーが同時にタッチパッド３６をタッチし、且つそれぞれ異なる位置（タッチポイント）をタッチする２つの押圧ジェスチャーを含むかどうかを判断する。前記２つの押圧ジェスチャーが同時にタッチパッド３６の異なる位置（タッチポイント）をタッチし、且つ前記２つの押圧ジェスチャーのタッチポイント間の距離が予定値より長い場合、以下のステップＳ５０３に移る。前記２つの押圧ジェスチャーが同時にタッチパッド３６の異なる位置（タッチポイント）をタッチしない場合、以下のステップＳ５０６に移る。
【００２４】
ステップＳ５０３において、前記タッチジェスチャーが、２つの押圧ジェスチャーのタッチポイントの接続線に対してほぼ垂直にスライドするスライドジェスチャーをさらに含んでいるかどうかを判断する。含んでいる場合、以下のステップＳ５０４に移る。含んでいない場合、以下のステップＳ５０６に移る。
【００２５】
ステップＳ５０４において、前記スライドジェスチャーをマウスのホイール操作として再現する。
【００２６】
ステップＳ５０５において、前記２つのタッチジェスチャーの中の１つのジェスチャーをマウスの左キー操作として再現し、もう１つのジェスチャーをマウスの右キー操作として再現する。
【００２７】
ステップＳ５０６において、前記タッチジェスチャーがズーム操作のような他のタッチ操作であると判断する。
【００２８】
本発明の他の実施形態において、前記ヒューマンコンピュータインタラクション方法は、設定ステップをさらに備える。この設定ステップにおいて、コマンドラインやパターン化されたユーザインタフェースを提供し、且つ前記ユーザインタフェースからユーザが入力した前記予定値を受信する。
【００２９】
従来の技術と異なり、本発明のヒューマンコンピュータインタラクションシステム４０及びヒューマンコンピュータインタラクション方法によって、ユーザのタッチパッド３６でのスライドジェスチャーをマウスのホイール操作として再現することができる。これにより、ユーザはマウスを使用しなくても、マウスのホイールのような機能を獲得できる。また、ユーザは、前記ヒューマンコンピュータインタラクションシステム４０によって、さらに正確な操作を獲得することができる。
【符号の説明】
【００３０】
１０  電子装置
２０  表示部
３０  本体部
３２  上面
３４  キーボード
３６  タッチパッド
１０１  中央演算処理装置
１０２  メモリ
１０３  表示装置
４０  ヒューマンコンピュータインタラクションシステム
４０１  タッチ感知モジュール
４０２  第一判断モジュール
４０３  第二判断モジュール
４０４  マウスホイール再現モジュール
４０５  マウス左右キー再現モジュール
４０６  設定モジュール
【図１】
2014164764.tif 000003
【図２】
2014164764.tif 000004
【図３】
2014164764.tif 000005
【図４】
2014164764.tif 000006
【図５】
2014164764.tif 000007